(57)【要約】【課題】撮影された複数の顔画像における目の開閉度に応じて撮影処理の方法を変えることにより、不良画像を使用したＩＤカードの発行を防止する。【解決手段】ＩＤカードを作成するための顔画像を撮影する撮影装置１００では、撮影部３により、被撮影者Ｈの顔画像が連続して複数（例えば、４コマ）撮影され、演算部４２により、撮影部３により得られた複数の顔画像の各々について、目の開閉度合い（目つぶり判定値）が算出される。演算部４２で算出された全ての顔画像の目の開閉度合いが予め設定された基準値以下である場合、１番目に撮影された顔画像が表示部７に表示される。そして、被撮影者Ｈ又はオペレータによる操作部２の操作によって、表示部７に表示された顔画像をＩＤカードに使用するか否かの判断結果が入力される。【選択図】図１
2006078762.tif 000002
【特許請求の範囲】
【請求項１】
ＩＤカードを作成するための顔画像を撮影する撮影装置において、
被撮影者の顔画像を連続して複数撮影する撮影部と、
前記撮影部により得られた複数の顔画像の各々について、目の開閉度合いを算出する演算部と、
前記演算部により算出された各顔画像の目の開閉度合いが、予め設定された基準を満たしていない場合、前記複数の顔画像の中から、予め指定された顔画像を表示する表示部と、
前記表示部に表示された顔画像をＩＤカードに使用するか否かの判断結果を入力する操作部と、
を備えることを特徴とする撮影装置。
【請求項２】
前記予め指定された顔画像は、前記複数の顔画像のうち、１番目に撮影された顔画像であることを特徴とする請求項１に記載の撮影装置。
【請求項３】
前記操作部により、前記表示された顔画像をＩＤカードに使用しないという判断結果が入力された場合、再度、前記撮影部による撮影処理、前記演算部による算出処理及び前記表示部による表示処理を繰り返すことを特徴とする請求項１又は２に記載の撮影装置。
【請求項４】
ＩＤカードを作成するための顔画像を撮影する撮影装置において、
被撮影者の顔画像を連続して複数撮影する撮影部と、
前記撮影部により得られた複数の顔画像の各々について、目の開閉度合いを算出する演算部と、
前記演算部により算出された前記複数の顔画像の目の開閉度合いが、予め設定された範囲内である場合、当該複数の顔画像を表示する表示部と、
前記表示部に表示された複数の顔画像の中から、ＩＤカードに使用する顔画像を選択する操作部と、
を備えることを特徴とする撮影装置。
【請求項５】
前記表示部は、前記演算部により算出された目の開閉度合いを更に表示することを特徴とする請求項１〜４の何れか一項に記載の撮影装置。
【請求項６】
ＩＤカードを作成するための顔画像を撮影する撮影方法において、
被撮影者の顔画像を連続して複数撮影する撮影工程と、
前記撮影により得られた複数の顔画像の各々について、目の開閉度合いを算出する演算工程と、
前記算出された各顔画像の目の開閉度合いが、予め設定された基準を満たしていない場合、前記複数の顔画像の中から、予め指定された顔画像を表示する表示工程と、
前記表示された顔画像をＩＤカードに使用するか否かの判断結果を入力する操作工程と、
を含むことを特徴とする撮影方法。
【請求項７】
前記予め指定された顔画像は、前記複数の顔画像のうち、１番目に撮影された顔画像であることを特徴とする請求項６に記載の撮影方法。
【請求項８】
前記操作工程において、前記表示された顔画像をＩＤカードに使用しないという判断結果が入力された場合、再度、前記撮影工程、前記演算工程及び前記表示工程が繰り返されることを特徴とする請求項６又は７に記載の撮影方法。
【請求項９】
ＩＤカードを作成するための顔画像を撮影する撮影方法において、
被撮影者の顔画像を連続して複数撮影する撮影工程と、
前記撮影により得られた複数の顔画像の各々について、目の開閉度合いを算出する演算工程と、
前記算出された前記複数の顔画像の目の開閉度合いが、予め設定された範囲内である場合、当該複数の顔画像を表示する表示工程と、
前記表示された複数の顔画像の中から、ＩＤカードに使用する顔画像を選択する操作工程と、
を含むことを特徴とする撮影方法。
【請求項１０】
前記演算工程において算出された目の開閉度合いを表示する工程を含むことを特徴とする請求項６〜９の何れか一項に記載の撮影方法。
【発明の詳細な説明】
【技術分野】
【０００１】
本発明は、ＩＤカードを作成するための顔画像を撮影する撮影装置及び撮影方法に関する。
【背景技術】
【０００２】
近年、自動車免許証等の免許証類、身分証明書、パスポート、外国人登録証、図書館利用カード、キャッシュカード、クレジットカード、従業者証、社員証、会員証、医療カード及び学生証等のＩＤ（IDentification）カードが普及している。このようなＩＤカードは、カード表面に個人情報が直接印刷された紙或いはプラスチック製のカードや、上記個人情報がカード内蔵のＩＣ（Integrated Circuit）メモリに記録されたカードであり、多くの場合、カード表面に顔写真が印刷若しくは貼付されている。最近では、デジタルカメラの普及と技術的進歩に伴って、ＩＤカード作成時に、デジタル画像データをもとに、ＩＤカード表面に顔写真を印刷することが多くなっている。
【０００３】
ＩＤカードに使用する顔画像を撮影する装置として、特許文献１には、１回の撮影で得られた複数枚の画像から、オペレータ又は被撮影者によって良好な画像を選択可能な技術が開示されている。また、特許文献２には、撮影で得られた複数枚の顔画像の各々について目の開閉度合いを算出し、最も開閉度合いが高い顔画像をＩＤカードに使用する技術が開示されている。
【特許文献１】特開平７−４４６８３号公報
【特許文献２】特開２００３−３１５８７５号公報
【発明の開示】
【発明が解決しようとする課題】
【０００４】
しかしながら、特許文献１に開示された技術は、ＩＤカードに使用する画像の選択が、オペレータ又は被撮影者によって実施されるため、撮影処理にかかる時間が長くなるという問題があった。また、特許文献２に開示された技術は、目の開閉度合いの程度によっては、必ずしも最適な画像が選択されず、不良画像が選択されてしまうことがあった。実際、目の開閉度の検知は認識処理であり、絶対的な精度を有するものではない。従って、例えば、顔における目の位置を間違える可能性もある。このような場合、一般に、目の開閉度が低下する傾向があり、これにより、撮影処理における信頼度が低下してしまうという問題があった。
【０００５】
本発明の課題は、撮影された複数の顔画像における目の開閉度に応じて撮影処理の方法を変えることにより、不良画像を使用したＩＤカードの発行を防止することである。
【課題を解決するための手段】
【０００６】
上記課題を解決するため、請求項１に記載の発明は、ＩＤカードを作成するための顔画像を撮影する撮影装置において、被撮影者の顔画像を連続して複数撮影する撮影部と、前記撮影部により得られた複数の顔画像の各々について、目の開閉度合いを算出する演算部と、前記演算部により算出された各顔画像の目の開閉度合いが、予め設定された基準を満たしていない場合、前記複数の顔画像の中から、予め指定された顔画像を表示する表示部と、前記表示部に表示された顔画像をＩＤカードに使用するか否かの判断結果を入力する操作部と、を備えることを特徴としている。
【０００７】
請求項２に記載の発明は、請求項１に記載の撮影装置において、前記予め指定された顔画像は、前記複数の顔画像のうち、１番目に撮影された顔画像であることを特徴としている。
【０００８】
請求項３に記載の発明は、請求項１又は２に記載の撮影装置において、前記操作部により、前記表示された顔画像をＩＤカードに使用しないという判断結果が入力された場合、再度、前記撮影部による撮影処理、前記演算部による算出処理及び前記表示部による表示処理を繰り返すことを特徴としている。
【０００９】
請求項４に記載の発明は、ＩＤカードを作成するための顔画像を撮影する撮影装置において、被撮影者の顔画像を連続して複数撮影する撮影部と、前記撮影部により得られた複数の顔画像の各々について、目の開閉度合いを算出する演算部と、前記演算部により算出された前記複数の顔画像の目の開閉度合いが、予め設定された範囲内である場合、当該複数の顔画像を表示する表示部と、前記表示部に表示された複数の顔画像の中から、ＩＤカードに使用する顔画像を選択する操作部と、を備えることを特徴としている。
【００１０】
請求項５に記載の発明は、請求項１〜４の何れか一項に記載の撮影装置において、前記表示部は、前記演算部により算出された目の開閉度合いを更に表示することを特徴としている。
【００１１】
請求項６に記載の発明は、ＩＤカードを作成するための顔画像を撮影する撮影方法において、被撮影者の顔画像を連続して複数撮影する撮影工程と、前記撮影により得られた複数の顔画像の各々について、目の開閉度合いを算出する演算工程と、前記算出された各顔画像の目の開閉度合いが、予め設定された基準を満たしていない場合、前記複数の顔画像の中から、予め指定された顔画像を表示する表示工程と、前記表示された顔画像をＩＤカードに使用するか否かの判断結果を入力する操作工程と、を含むことを特徴としている。
【００１２】
請求項７に記載の発明は、請求項６に記載の撮影方法において、前記予め指定された顔画像は、前記複数の顔画像のうち、１番目に撮影された顔画像であることを特徴としている。
【００１３】
請求項８に記載の発明は、請求項６又は７に記載の撮影方法において、前記操作工程において、前記表示された顔画像をＩＤカードに使用しないという判断結果が入力された場合、再度、前記撮影工程、前記演算工程及び前記表示工程が繰り返されることを特徴としている。
【００１４】
請求項９に記載の発明は、ＩＤカードを作成するための顔画像を撮影する撮影方法において、被撮影者の顔画像を連続して複数撮影する撮影工程と、前記撮影により得られた複数の顔画像の各々について、目の開閉度合いを算出する演算工程と、前記算出された前記複数の顔画像の目の開閉度合いが、予め設定された範囲内である場合、当該複数の顔画像を表示する表示工程と、前記表示された複数の顔画像の中から、ＩＤカードに使用する顔画像を選択する操作工程と、を含むことを特徴としている。
【００１５】
請求項１０に記載の発明は、請求項６〜９の何れか一項に記載の撮影方法において、前記演算工程において算出された目の開閉度合いを表示する工程を含むことを特徴としている。
【発明の効果】
【００１６】
本発明によれば、撮影された複数の顔画像の目の開閉度合いが、予め設定された基準を満たしていない場合に、当該複数の画像の中から予め指定された顔画像を表示し、表示された顔画像の良否を判断させるようにしたことにより、不良画像を用いたＩＤカードの発行を防止することが可能となる。
【００１７】
特に、１番目に撮影される顔画像が後で撮影される顔画像より良好である確率が高いという統計結果を反映して、撮影された複数の顔画像の中から１番目に撮影された顔画像を表示することにより、良好な顔画像が表示される可能性が高くなり、撮影装置を操作するオペレータ又は被撮影者の負担を軽減させるとともに、撮影処理の迅速化を図ることができる。
【００１８】
また、表示された顔画像をＩＤカードに使用しないという判断結果が入力された場合、再度、撮影処理を実行することにより、不良画像をＩＤカードに用いることがなくなる。
【００１９】
更に、撮影された複数の顔画像の目の開閉度合いが設定範囲内である場合、即ち、複数の顔画像の目つぶりの度合いが同程度である場合、当該複数の顔画像を表示し、ＩＤカードに使用する顔画像を、オペレータ又は被撮影者に選択させるようにしたことにより、不良画像を用いたＩＤカードの発行を防止することが可能となる。
【発明を実施するための最良の形態】
【００２０】
以下、図面を参照して、本発明の実施形態について詳細に説明する。
【００２１】
［実施形態１］
図１及び図２を参照して、本発明の実施形態１を説明する。
まず、本実施形態１における構成について説明する。図１に、実施形態１に係る撮影装置１００の構成を示す。撮影装置１００は、ＩＤカードを作成するための顔画像を撮影する装置であり、図１に示すように、制御部１、操作部２、撮影部３、画像処理・演算部４、記憶部５、プリンタ６、表示部７により構成される。
【００２２】
制御部１は、ＣＰＵ（Central Processing Unit）、ＲＡＭ（Random Access Memory）、ＲＯＭ（Read Only Memory）等により構成される。ＣＰＵは、ＲＡＭの所定領域を作業領域として、ＲＯＭに記憶されている各種制御プログラムを実行し、撮影装置１００を構成する各部の動作を制御する。
【００２３】
操作部２は、数字キー、文字キー、撮影を指示するための撮影キー等の各種機能キーを備え、キー操作による操作信号を制御部１に出力する。また、操作部２は、表示部７の表示画面を覆うように設けられたタッチパネルを有し、電磁誘導式、磁気歪式、感圧式等の座標読み取り原理でタッチ指示された座標を検出し、検出した座標を位置信号として制御部１に出力する。
【００２４】
撮影部３は、ガラスやプラスチックなどからなる光学レンズ、ＣＣＤ（Charge Coupled Device）又はＣＭＯＳ（Complementary Metal Oxide Semiconductor）等の撮像素子から構成されており、制御部１から撮影指示が入力されると、光学レンズを介して入力された被撮影者Ｈの像を撮像素子上で結像して電気信号に変換し、デジタル処理を行った後、画像データとして画像処理・演算部４へ出力する。
【００２５】
画像処理・演算部４は、画像処理部４１、演算部４２により構成される。画像処理部４１は、撮影部３から得られた顔画像に所定の画像加工を施す。
【００２６】
演算部４２は、画像処理部４１で得られた顔画像から、目の開閉度合いを算出する。目の開閉度合いは、目つぶりを判定するための判定値であり、例えば、０〜１の範囲の値をとる。目つぶり判定値が大きいほど目の開閉度合いが高く、目つぶり判定値が小さいほど目の開閉度合いが低くなる。
【００２７】
具体的に、演算部４２は、顔画像の濃淡情報から目の特徴点（目の中央、目尻、目頭等）がある場所を検出し、これら目の特徴点を示す画像情報に所定の変換を施し、ニューラルネットワークに入力する。ニューラルネットワークでは、目の特徴点を示す画像情報に所定の変換を施した情報を総合的に解析して、目の開閉度合いを出力する。なお、目の開閉度合いの算出方法は、これに限定されるものではない。例えば、顔画像の輝度変化量等から目の特徴量を抽出し、抽出された目の特徴量から、目の開閉度合いを算出するようにしてもよい。
【００２８】
記憶部５は、磁気的・光学的記録媒体又は不揮発性メモリなどで構成され、ＯＳ（Operating System）、各種制御プログラム、画像データ等の各種データを格納する。
【００２９】
プリンタ６は、色材を昇華、転移させて紙などの記録媒体に画像を形成する昇華型熱転写方式、電子写真方式、インクジェット方式等のプリント方式を用い、制御部１の指示に基づいて、選択された顔画像を、紙やプラスティック等の各種カード記録媒体に画像形成し、所定の大きさへの切り取りや、カード面保護のためのラミネート処理等の後処理を施した後に出力する。なお、本実施形態１においてプリンタ６は、撮影装置１００の一部として構成されるものとしたが、これに限定されるものではない。例えば、プリンタ装置として撮影装置と別に設け、ＬＡＮ（Local Area Network）、赤外線、無線等による通信手段を介して撮影装置に接続されるようにしてもよい。
【００３０】
表示部７は、ＬＣＤ（Liquid Crystal Display）等の表示画面を備え、制御部１から入力される表示制御信号に従って、撮影画像等の画像データを表示する。
【００３１】
次に、本実施形態１における動作について説明する。
実施形態１における動作として、図２に示すフローチャートを参照して、実施形態１の撮影装置１００において実行される撮影処理について説明する。
【００３２】
被撮影者Ｈが着席すると、被撮影者Ｈの顔画像が複数コマ（例えば、４コマ）連続して撮影され（ステップＳ１）、複数コマ分の顔画像が取得される。次いで、各コマ毎に、目つぶり判定値（０〜１の値）として、目の開閉度合いが算出され（ステップＳ２）、算出された目つぶり判定値が記憶部５に記憶される（ステップＳ３）。この目つぶり判定値は、表示部７に表示されるのが好ましい。
【００３３】
次いで、ステップＳ２における目つぶり判定が行われた顔画像が最終コマであるか否かが判定される（ステップＳ４）。ステップＳ４において、該当する顔画像が最終コマでないと判定された場合（ステップＳ４；ＮＯ）、次のコマの顔画像について、ステップＳ２〜Ｓ４の処理が繰り返される。
【００３４】
ステップＳ４において、該当する顔画像が最終コマであると判定された場合（ステップＳ４；ＹＥＳ）、各顔画像の目つぶり判定値が比較され（ステップＳ５）、全コマの顔画像の目つぶり判定値が０．５以下であるか否かが判定される（ステップＳ６）。なお、ステップＳ６における目つぶり判定値の基準値は、０．５に限定されるものではなく、撮影装置１００の設置される環境や照明条件等により任意に設定変更可能である。
【００３５】
ステップＳ６において、全コマの顔画像の目つぶり判定値が０．５以下でないと判定された場合（ステップＳ６；ＮＯ）、ステップＳ１で撮影された複数コマの顔画像の中から、目つぶり判定値が最も高い顔画像が表示部７に表示され（ステップＳ８）、その表示された顔画像をＩＤカードに使用するか否かの判断結果の入力が、オペレータ又は被撮影者Ｈに促される（ステップＳ９）。
【００３６】
ステップＳ６において、全コマの顔画像の目つぶり判定値が０．５以下であると判定された場合（ステップＳ６；ＹＥＳ）、最初のコマ（１番目に撮影されたコマ）の顔画像が表示部７に表示され（ステップＳ７）、その表示された顔画像をＩＤカードに使用するか否かの判断結果の入力が、オペレータ又は被撮影者Ｈに促される（ステップＳ９）。
【００３７】
ステップＳ９において、表示部７に表示された顔画像をＩＤカードに使用しないという判断結果が操作部２により入力された場合（ステップＳ９；ＮＯ）、ステップＳ１に戻り、再度、被撮影者Ｈの撮影処理が行われる。ステップＳ９において、表示部７に表示された顔画像をＩＤカードに使用するという判断結果が操作部２により入力された場合（ステップＳ９；ＹＥＳ）、本撮影処理が終了し、該当する顔画像がＩＤカードに使用されることになる。
【００３８】
以上のように、本実施形態１の撮影装置１００によれば、撮影された複数コマの顔画像の目の開閉度合い（目つぶり判定値）が所定値以下である場合、当該複数の画像の中から、最初のコマの顔画像を表示し、表示された顔画像の良否を判断させるようにしたことにより、不良画像を用いたＩＤカードの発行を防止することが可能となる。
【００３９】
特に、１番目に撮影される顔画像が後で撮影される顔画像より良好である確率が高いという統計結果を反映して、撮影された複数の顔画像の中から最初のコマの顔画像を表示することにより、良好な顔画像が表示される可能性が高くなり、撮影装置を操作するオペレータ又は被撮影者の負担を軽減させるとともに、撮影処理の迅速化を図ることができる。
【００４０】
また、表示された顔画像をＩＤカードに使用しないという判断結果が入力された場合、再度、撮影処理を実行することにより、不良画像をＩＤカードに用いることがなくなる。
【００４１】
［実施形態２］
次に、図３を参照して、本発明の実施形態２について説明する。なお、実施形態２に係る撮影装置は、実施形態１の撮影装置１００と同一の構成ゆえ、同一の符号を用い、その図示及び機能説明を省略する。
【００４２】
以下、実施形態２における動作について説明する。
実施形態２における動作として、図３に示すフローチャートを参照して、実施形態２の撮影装置１００において実行される撮影処理について説明する。
【００４３】
被撮影者Ｈが着席すると、被撮影者Ｈの顔画像が複数コマ（例えば、４コマ）連続して撮影され（ステップＳ１１）、複数コマ分の顔画像が取得される。次いで、各コマ毎に、目つぶり判定値（０〜１の値）として、目の開閉度合いが算出され（ステップＳ１２）、算出された目つぶり判定値が記憶部５に記憶される（ステップＳ１３）。この目つぶり判定値は、表示部７に表示されるのが好ましい。
【００４４】
次いで、ステップＳ１２における目つぶり判定が行われた顔画像が最終コマであるか否かが判定される（ステップＳ１４）。ステップＳ１４において、該当する顔画像が最終コマでないと判定された場合（ステップＳ１４；ＮＯ）、次のコマの顔画像について、ステップＳ１２〜Ｓ１４の処理が繰り返される。
【００４５】
ステップＳ１４において、該当する顔画像が最終コマであると判定された場合（ステップＳ１４；ＹＥＳ）、各顔画像の目つぶり判定値が比較され（ステップＳ１５）、全コマの顔画像の目つぶり判定値が０．７〜０．８の範囲内であるか否かが判定される（ステップＳ１６）。なお、ステップＳ１６における目つぶり判定値の範囲は、０．７〜０．８に限定されるものではなく、撮影装置１００の設置される環境や照明条件等により任意に設定変更可能である。
【００４６】
ステップＳ１６において、全コマの顔画像の目つぶり判定値が０．７〜０．８の範囲内ではないと判定された場合（ステップＳ１６；ＮＯ）、ステップＳ１１で撮影された複数コマの顔画像の中から、目つぶり判定値が最も高い顔画像が表示部７に表示され（ステップＳ１９）、本撮影処理が終了する。なお、目つぶり判定値が最も高い顔画像を表示部７に表示した後に、図２のステップＳ９で示したように、その表示された顔画像をＩＤカードに使用するか否かの判断結果の入力をオペレータ又は被撮影者Ｈに促すようにしてもよい。
【００４７】
ステップＳ１６において、全コマの顔画像の目つぶり判定値が０．７〜０．８の範囲内であると判定された場合（ステップＳ１６；ＹＥＳ）、それら全コマの顔画像が表示部７に表示され（ステップＳ１７）、その表示された全コマの顔画像の中から、ＩＤカードに使用する顔画像の選択が、オペレータ又は被撮影者Ｈに促される。表示部７に表示された顔画像の中から、操作部２の操作により、ＩＤカードに使用する顔画像が選択されると（ステップＳ１８）、本撮影処理が終了する。
【００４８】
本実施形態２の撮影装置１００によれば、撮影された複数の顔画像の目の開閉度合いが設定範囲内である場合、即ち、複数の顔画像の目つぶりの度合いが同程度である場合、当該複数の顔画像を表示し、ＩＤカードに使用する顔画像を、オペレータ又は被撮影者に選択させるようにしたことにより、不良画像を用いたＩＤカードの発行を防止することが可能となる。
【図面の簡単な説明】
【００４９】
【図１】本発明の実施形態１及び２に係る撮影装置の構成を示すブロック図。
【図２】本発明の実施形態１の撮影装置において実行される撮影処理を示すフローチャート。
【図３】本発明の実施形態２の撮影装置において実行される撮影処理を示すフローチャート。
【符号の説明】
【００５０】
１  制御部
２  操作部
３  撮影部
４  画像処理・演算部
４１  画像処理部
４２  演算部
５  記憶部
６  プリンタ
７  表示部
１００  撮影装置
【図１】
2006078762.tif 000003
【図２】
2006078762.tif 000004
【図３】
2006078762.tif 000005